(57)【要約】【課題】  前席搭乗者が前席用モニタを介して後席用モニタで再生される情報の選択操作を快適かつ安全に行うことができる車載装置を提供する。【解決手段】  前席用モニタおよび後席用モニタを備える車載装置であって、前席用モニタおよび後席用モニタに異なる再生源を割り当て可能なソース切替手段と、前席モニタに対する所定の操作に応答して、後席用モニタで再生中の再生源の内容に応じた操作用画面を前席モニタに表示する操作画面提供手段と、操作用画面を介して行われる操作内容に従って再生制御を行う再生制御手段と、を備える。操作用画面は、後席用モニタで再生中の再生源のファイルをカテゴリー分類したメニュー項目を有し、各メニュー項目には当該項目に対応するカテゴリのファイルを再生開始する機能が割り当てられる。【選択図】  図４
2009262620.tif 000002
【特許請求の範囲】
【請求項１】
前席用モニタおよび後席用モニタを備える車載装置であって、
前記前席用モニタおよび後席用モニタに異なる再生源を割り当て可能なソース切替手段と、
前記前席モニタに対する所定の操作に応答して、前記後席用モニタで再生中の再生源の内容に応じた操作用画面を前記前席モニタに表示する操作画面提供手段と、
前記操作用画面を介して行われる操作内容に従って再生制御を行う再生制御手段と、
を備え、
前記操作画面提供手段により提供される前記操作用画面は、前記後席用モニタで再生中の前記再生源のファイルをカテゴリー分類したメニュー項目を有し、各メニュー項目には当該項目に対応するカテゴリのファイルを再生開始する機能が割り当てられること、を特徴とする車載装置。
【請求項２】
前記再生制御手段は、前記操作用画面において操作されたメニュー項目に対応するカテゴリに含まれるファイルを先頭から順に再生すること、を特徴とする請求項１に記載の車載装置。
【請求項３】
前記後席用モニタで再生中の再生源が映像・音声再生プレーヤであり、
前記操作用画面は、映像をジャンル毎に分類したメニュー項目を含むこと、を特徴とする請求項１または２に記載の車載装置。
【請求項４】
前記操作用画面は、更に、再生トラックを操作可能な操作ボタンを含むことを、を特徴とする請求項１から３のいずれかに記載の車載装置。
【請求項５】
前記所定の操作は、前記前席モニタに表示された所定の操作ボタンの押下であること、を特徴とする請求項１から４のいずれかに記載の車載装置。
【請求項６】
前席用モニタおよび後席用モニタを備える車載装置であって、
前記前席用モニタおよび後席用モニタに異なる再生源を割り当て可能なソース切替手段と、
前記前席モニタに対する所定の操作に応答して、前記後席用モニタで再生中の再生源の内容に応じた操作用画面を前記前席モニタに表示する操作画面提供手段と、
前記操作用画面を介して行われる操作内容に従って再生制御を行う再生制御手段と、を備え、
前記操作画面提供手段により提供される前記操作用画面は、再生トラックを操作可能な操作ボタンのみを含むことを、を特徴とする車載装置。
【発明の詳細な説明】
【技術分野】
【０００１】
本発明は、カーオディオ等の車載装置に関し、より詳細には車載装置におけるジャンル選択機能に関する。
【背景技術】
【０００２】
ハードディスク装置等の大容量小型化、ＤＶＤ−ＲＯＭドライブの普及を背景として、車載装置もナビゲーション機能だけでなくＤＶＤ等の映像の再生機能も搭載するようになっている。また、近年の車載装置においては、前席用のモニタのみでなく後部座席用のモニタを設け後部座席用モニタにＤＶＤ映像を再生できるよう構成されているものも実用に供され始めている。このような車載装置では前席用モニタにナビゲーション画面を表示し、後部座席用モニタにはＤＶＤ再生映像を表示するといった使い方が可能となっている。
【０００３】
しかしながら、一般に後部座席用の操作リモコンはオプション品扱いとされる場合が多いことから、車載装置には、前席の搭乗者が前席用モニタを介して後部座席用モニタの再生映像を操作できる機能を有することが要求される。すなわち、車載装置には、後部座席の搭乗者からの要望に前席側で応じることができるようにするという観点で、前席の搭乗者が前席用モニタを介して後部座席用モニタの再生映像を操作できる機能を有することが要求される。
【０００４】
特許文献１にはこのような車載装置の一例が示されている。特許文献１に開示された車載装置では、後部座席用モニタでＤＶＤ再生画像が表示されているときに、前席用モニタにＤＶＤ再生映像のメニュー画面を表示することができる。したがって、前席用モニタの表示画面を介して後部座席用モニタに表示するＤＶＤ映像を選択することができる。
【特許文献１】特開２００６−１０３４５０
【発明の開示】
【発明が解決しようとする課題】
【０００５】
上記特許文献１に開示されるような車載装置によれば、前席側からでも後席用モニタの再生メニューを操作することができる。しかしながら、これら従来の車載装置では後席用再生モニタの通常のメニュー画面を、前席側に表示可能として構成に留まっている。したがって、メニュー画面を介した操作自体は従来同様、比較的煩雑なものであり、このような操作を前席搭乗者に要求するのは必ずしも好ましい構成とは言えない。
【０００６】
本発明は上記の問題に鑑みてなされたものである。すなわち、本発明は、前席搭乗者が前席用モニタを介して後席用モニタで再生される情報の選択操作を快適かつ安全に行うことができる車載装置を提供することを目的とする。
【課題を解決するための手段】
【０００７】
上記の目的を達成するため、本発明の一つの側面によって提供されるのは、前席用モニタおよび後席用モニタを備える車載装置であって、前席用モニタおよび後席用モニタに異なる再生源を割り当て可能なソース切替手段と、前席モニタに対する所定の操作に応答して、前記後席用モニタで再生中の再生源の内容に応じた操作用画面を前記前席モニタに表示する操作画面提供手段と、操作用画面を介して行われる操作内容に従って再生制御を行う再生制御手段と、を備える。上記構成において操作画面提供手段により提供される操作用画面は、後席用モニタで再生中の前記再生源のファイルをカテゴリー分類したメニュー項目を有し、各メニュー項目には当該項目に対応するカテゴリのファイルを再生開始する機能が割り当てられる。
【０００８】
上記構成によれば、前席搭乗者がきわめてシンプルな操作で後席用モニタで再生される再生源の操作を行うことができる。
【０００９】
再生制御手段は、操作用画面において操作されたメニュー項目に対応するカテゴリに含まれるファイルを先頭から順に再生する構成であっても良い。
【００１０】
後席用モニタで再生中の再生源が映像・音声再生プレーヤである場合には、操作用画面は、映像をジャンル毎に分類したメニュー項目を含むよう構成されていても良い。
【００１１】
操作用画面は、更に、再生トラックを操作可能な操作ボタンを含むよう構成されていても良い。
【００１２】
前記所定の操作は、前席モニタに表示された所定の操作ボタンの押下であっても良い。
【００１３】
本発明の別の側面によって提供されるのは、前席用モニタおよび後席用モニタを備える車載装置であって、前席用モニタおよび後席用モニタに異なる再生源を割り当て可能なソース切替手段と、前席モニタに対する所定の操作に応答して、前記後席用モニタで再生中の再生源の内容に応じた操作用画面を前記前席モニタに表示する操作画面提供手段と、操作用画面を介して行われる操作内容に従って再生制御を行う再生制御手段と、を備える。本構成において、操作画面提供手段により提供される前記操作用画面は、再生トラックを操作可能な操作ボタンのみを含む。
【００１４】
上記構成によれば、前席搭乗者がきわめてシンプルな操作で後席用モニタで再生される再生源の操作を行うことができる。
【発明の効果】
【００１５】
前席搭乗者がきわめてシンプルな操作で後席用モニタで再生される再生源の操作を行うことができる車載装置が提供される。したがって、前席搭乗者が前席用モニタを介して後席用モニタで再生される情報の選択操作を快適かつ安全に行うことができる。
【発明を実施するための最良の形態】
【００１６】
以下、本発明の実施の形態につき、図面を用いて詳細に説明する。図１は、本発明の実施形態としての車載装置１のシステム全体の構成を表している。図１に示すように車載装置１は、制御部本体２、前席用モニタ３、後席用モニタ５、前席側スピーカ３１，３２、および後席用スピーカ５１、５２、５３を備えている。前席用モニタ３および後席用モニタ５はいずれもタッチパネルを搭載しており、ユーザが表示画面に設けられたボタンを操作することにより選択操作等を行うことができる。
【００１７】
制御部本体２は、前席用モニタ３を介して再生されるべき映像等の再生制御を行う前席用再生制御部と、後席用モニタ５を介して再生されるべき映像等の再生制御を行う後席用再生制御部を備えている。各再生制御部は、ＣＰＵ、ＲＯＭ、ＲＡＭ等を備え各種再生制御を実行することができる。また、制御部本体２は、ＨＤＤ等の記憶装置、ＤＶＤ−ＲＯＭドライブ、ラジオチューナ、ＴＶチューナ、ＧＰＳレシーバを備えている。記憶装置には、ナビゲーションを実行する為の地図データが記憶される。
【００１８】
さらに、制御部本体２には外部音声映像源としてｉＰＯＤ（登録商標）のような映像・音楽プレーヤ７や、外部メモリを接続可能である。制御部本体２は、映像・音楽プレーヤ７を接続する為のインタフェースとしてＵＳＢインタフェースを有する。すなわち、車載装置１は、再生データのソースとして、ラジオ、ＴＶ、音声、ＤＶＤ映像、映像・音楽プレーヤ７を選択することができる。
【００１９】
上記構成により、前席側モニタ３および後席側モニタ５に対して異なるソースを割り当てることができる。例えば、前席用モニタ３を介してナビゲーション画面を表示し、後席用モニタ５を介してＤＶＤ映像を再生することができる。ソースの切り替えは制御部本体２に設けられたハードボタンであるＡＶソースボタンを押下することによって表示されるソース切替え画面を介して行うことができる。
【００２０】
はじめに、映像等の通常の選択操作について説明する。図２（ａ）から図２（ｃ）は、ＡＶソースボタンを押下したのち、ソースとして映像・音楽プレーヤ７を選択した際に行われる通常の選択操作における画面遷移を表している。なお、図２（ａ）から（ｃ）に示す選択操作は前席搭乗者が前席用モニタ３を介して行うこともでき、或いは後席搭乗者が後席用モニタ４を介して行うこともできる。
【００２１】
ユーザがＡＶソースボタンを押下すると、制御部本体２はソース切替え画面を表示する。
ユーザはこのソース切替え画面に設けられたボタンを操作して、ソースとして映像・音楽プレーヤ７を選択する。ソースとして映像・音声プレーヤ７が選択されると、始めに図２（ａ）に示すメニュー画面が表示される。すなわち、図２（ａ）は映像音声メニュー階層における最上位の階層メニューを現している。具体的には、最上位の階層メニューではジャンル毎に分類されたカテゴリー項目（“ムービー”、“ミュージックビデオ”、“ビデオＰｏｄｃａｓｔ”、“ＴＶ  Ｓｈｏｗ”等）に対応するボタンが表示される。ユーザはこれらボタンを押下しジャンル選択を行うことができる。
【００２２】
図２（ｂ）は、図２（ａ）の操作画面においてカテゴリーボタン“ＴＶ  Ｓｈｏｗ”が選択された場合の表示画面の例である。図２（ｂ）の選択画面では、ＴＶ録画画像をさらにカテゴリー分類した項目（“アメリカングラフィティ”、“日本の風景”）に対応するボタンが表示される。ユーザはこれらのボタンを押下し更に下位の階層の選択メニューを表示することができる。
【００２３】
図２（ｃ）は、図２（ｂ）の操作画面において例えばボタン“日本の風景”を選択した場合におけるメニュー画面を示している。図２（ｃ）に示す画面は、最下位層のメニュー画面に相当し、この画面には個々のＴＶ録画ファイルに対応するボタンが表示される。図２（ｃ）に示す例では、ＴＶ録画ファイルは放送日時に基づいてソートされている。
【００２４】
次に、前席搭乗者が後席搭乗者に代わって、後席側で再生される映像等の選択操作を前席側で行なう際の動作について説明する。この場合、前席搭乗者は前席モニタ３を操作することによって後席搭乗者の要望に応じた選択操作を行なう。
【００２５】
まず、前席搭乗者は、制御部本体３のＡＶソースボタン（ハードキー）を押下し、ソース切替え画面を前席モニタ３に表示する（図３（ａ））。このソース切替え画面には、後席ソース操作用タブ３１が提供される。後席ソース操作用タブ３１は、図３（ａ）において“２ＺＯＮＥ”と表されている。図３（ａ）に示されるソース切替え画面上で後席ソース操作用タブ３１が押下されると、後席用モニタ４側で再生中のソースの内容に応じた後席ソース操作用画面が前席モニタ３に表示される（図３（ｂ）参照）。図３（ｂ）は、後席用モニタ４側でＤＶＤ再生が行われている場合の後席ソース操作用画面の一例である。なお、図３（ｂ）の後席ソース操作用画面においてソースタブ３２が押下されると、図３（ａ）に示すソース切替え画面に戻るようになっていても良い。
【００２６】
後席用モニタ４側で再生中のソースが映像・音楽プレーヤ７である場合においてソース切替え画面上で後席ソース操作用タブ３１が押下された場合の後席ソース操作用画面の例（符号４０で示す）を図４に示す。以下、後席ソース操作用画面４０の機能について説明する。
【００２７】
後席ソース操作用画面４０には、再生するカテゴリーを選択するためのボタン４１〜４４４が表示されている。後席ソース操作用画面４０において、“Ｍｏｖｉｅｓ”ボタン４１が押下されると、映像・音楽プレーヤ７中の映画ジャンルに属する全ファイルが先頭から順に再生される。“ＴＶ Ｓｈｏｗｓ”ボタン４２が押下されると、映像・音楽プレーヤ７中のＴＶ録画ジャンルに属する全ファイルが先頭から順に再生される。“Ｖｉｄｅｏ Ｐｏｄｃａｓｔｓ”ボタン４３が押下されると、映像・音楽プレーヤ７中のビデオジャンルに属する全ファイルが先頭から順に再生される。また、“Ｍｕｓｉｃ Ｖｉｄｅｏｓ”ボタン４４が押下されると、映像・音楽プレーヤ７中のミュージックビデオジャンルに属する全ファイルが先頭から順に再生される。
【００２８】
また、後席ソース操作用画面４０には、トラックＵＰボタン５２およびトラックＤＯＷＮボタン５１が設けられている。トラックＵＰボタン５２、トラックＤＯＷＮボタン５１を押下することで再生トラックのＵＰ／ＤＯＷＮ操作（すなわち、前後のファイルの選択等）を行うことができる。
【００２９】
上述の後席ソース操作用画面４０の機能は、映像・音楽プレーヤ７から取得されるファイル群を階層構造として管理するとともに上位側に位置付けられるカテゴリー分類の項目に再生開始の機能を割り当てることによって実現される。具体的な階層構造の管理状態の一例は図５に示される。図５に示すように階層構造の最上位層のレイヤはカテゴリー分類項目に対応している。すなわち、最上位レイヤには、カテゴリー項目100（“Ｍｏｖｉｅｓ”）、カテゴリー項目200（” ＴＶ Ｓｈｏｗｓ”）、カテゴリー項目300（“Ｖｉｄｅｏ Ｐｏｄｃａｓｔｓ”）、およびカテゴリー項目400（“Ｍｕｓｉｃ Ｖｉｄｅｏｓ”）が存在する。
【００３０】
図２（ａ）から（ｃ）を参照して説明した通常のメニュー選択操作が行なわれるとき、制御部本体２は、図５に示す階層構造を用いてメニュー画面を提示する。最上位層のメニュー画面（図２（ａ）参照）は、階層構造（図５）中の最上位層の項目100,200などが用いられる。２番目の層のメニュー画面（図２（ｂ）参照）の提示に際しては、制御部本体２は、階層構造中の２番目の層の項目（１１０、１２０、２１０、２２０、２３０等）を用いて画面を構成する。３番目の層のメニュー画面（図２（ｃ））の提示に際しては、制御部本体２は、制御部本体２は、階層構造中のさらに下位層のデータ項目１１１、１１２等を再生対象のファイルとして表示を行なう。
【００３１】
次に、後席ソース操作用タブ３１が押下された場合の階層構造の管理について説明する。後席ソース操作用タブ３１が押下された場合には、制御部本体２は、最上位の各メニュー項目に対して再生開始機能を割り当てる。図５には最上位層のメニュー項目に再生開始機能が割り当てられていることが模式的に示されている。
【００３２】
具体的には、カテゴリー項目100（“Ｍｏｖｉｅｓ”）に対しては、「映像・音楽プレーヤ中の映画ジャンルに属する全ファイルを先頭から順に再生する」という機能が関連付けられている。したがって、図４を参照して説明したように、後席ソース操作用画面４０上で“Ｍｏｖｉｅｓ”ボタン４１が押下されると、カテゴリー項目100（“Ｍｏｖｉｅｓ”）に関連付けられた上記機能にしたがって映像・音楽プレーヤ７中の映画ジャンルに属するファイルが先頭から順に再生される。また、カテゴリー項目200（” ＴＶ Ｓｈｏｗｓ”）には、「映像・音楽プレーヤ中のＴＶ録画ジャンルに属する全ファイルが先頭から順に再生する」という機能が関連付けられる。したがって、図４を参照して説明したように後席ソース操作用画面４０上で“ＴＶ Ｓｈｏｗｓ”ボタン４２が押下されると、カテゴリー項目200（” ＴＶ Ｓｈｏｗｓ”）に関連付けられた上記機能にしたがって映像・音楽プレーヤ７中のＴＶ録画ジャンルに属するファイルが先頭から順に再生される。
【００３３】
カテゴリー項目300（“Ｖｉｄｅｏ Ｐｏｄｃａｓｔｓ”）およびカテゴリー項目400（“Ｍｕｓｉｃ Ｖｉｄｅｏｓ”）についても同様に、それぞれビデオジャンル、ミュージックジャンルの再生開始機能が割り当てられる。それにより、図４に関して上述したように、“Ｖｉｄｅｏ Ｐｏｄｃａｓｔｓ”ボタン４３、“Ｍｕｓｉｃ Ｖｉｄｅｏｓ”ボタン４４の押下に応答してそれぞれのカテゴリーのファイルが再生される。
【００３４】
以上が本発明の実施形態である。上述のように、後席ソース操作用タブ３１が押下された場合には、階層構造（図５参照）の最上位の各項目に再生開始機能が割り当てられる為、最上位層の項目が選択されたとしても下位メニューの表示がなされないことが注目される。このことは、前席搭乗者が、後席ソース操作用タブ３１の押下、ジャンルの選択というシンプルな操作で、後席搭乗者に代わって、或いは後席搭乗者の要望に応じ、所望のジャンルの映像等の再生を行うことができることを意味する。階層を降りて最終的な再生ファイルを選択するという、かなりの注意力を操作者に要求する操作を行う必要がないことが特に注目される。
【００３５】
数名の搭乗者を乗せて比較的長い距離を走行する場面では、ジャンル選択をし、該当ジャンルの中のファイルが順次再生されるという機能であっても搭乗者の要望をかなりの範囲満たすことできることが理解されるべきである。後席ソース操作用画面４０にトラックＵＰ／ＤＯＷＮボタン５２、５３を設けることで、トラックＵＰやトラックＤＯＷＮ操作もシンプルな操作で行うことができる。
【００３６】
上述の実施形態は様々な変形が可能である。例えば、後席ソース操作用画面４０には、トラックＵＰ／ＤＯＷＮボタン５２、５３が設けられているが、これらのボタンは必ずしも設けられていなくても良い。
【００３７】
上述の実施形態では、ＡＶソースボタンを押下した後に後席ソース操作用タブ３１が操作される構成であったが、後席ソース操作用タブ３１が通常画面に表示される構成であれば、ＡＶソースボタンを押下することなく後席ソース操作用タブ３１の操作のみで後席ソース操作用画面４０を呼び出すことができる。また、後席ソース操作用タブ３１は、ソフトウェアによる操作ボタンとしてでなく、ハードキーとして提供されても良い。後席用モニタ５は、タッチパネル操作のできないモニタであっても良い。
【図面の簡単な説明】
【００３８】
【図１】図１は、本発明の実施形態としての車載装置１のシステム全体の構成を表している。
【図２】図２（ａ）から図２（ｃ）は、ソースとして映像・音楽プレーヤを選択した際に行われる通常の選択操作における画面遷移を表している。
【図３】図３（ａ）はソース切替え画面の一例を示し、図３（ｂ）は後席ソース操作用画面の一例を示す。
【図４】図4は後席ソース操作用画面の一例を示している。
【図５】図５は、映像・音楽プレーヤのファイルを管理する為の階層構造を示している。
【符号の説明】
【００３９】
１    車載装置
２    制御部本体
３    前席用モニタ
５    後席用モニタ
７    映像・音楽プレーヤ
３１，３２  前席側スピーカ
５１，５２，５３    後席側スピーカ
【図１】
2009262620.tif 000003
【図２】
2009262620.tif 000004
【図３】
2009262620.tif 000005
【図４】
2009262620.tif 000006
【図５】
2009262620.tif 000007